(57)【要約】【課題】簡略化及びコンパクト化を図ることができて、小スペースとなるビル内の外食店舗等に対応して２機の室外機を設置することができる室外機載置台を提供する。【解決手段】２機の室外機を設置することができる室外機載置台である。壁面１５に固定される一対の縦方向ステー１６、１７を有する背面フレーム１８と、この背面フレーム１８から水平状に突設されて室外機１を受ける一対の受けフレーム１９、２０とを備える。下方の受けフレーム２０が載置面１４に設置される。【選択図】図１
2006038428.tif 000002
【特許請求の範囲】
【請求項１】
壁面（１５）に固定される一対の縦方向ステー（１６）（１７）を有する背面フレーム（１８）を、載置面（１４）に載置される下方の受けフレーム（２０）から立設すると共に、上記背面フレーム（１８）から上方の受けフレーム（１９）を水平状に突設し、上記各受けフレーム（１９）（２０）にて室外機（１）（１）を受けることを特徴とする室外機載置台。
【請求項２】
下方の受けフレーム（２０）に脚体（３０）を設けたことを特徴とする請求項１の室外機載置台。
【請求項３】
上記上下一対の受けフレーム（１９）（２０）の外周側に化粧カバー（４０）（４１）を配置したことを特徴とする請求項１又は請求項２の室外機載置台。
【発明の詳細な説明】
【技術分野】
【０００１】
この発明は、室外機載置台に関するものである。
【背景技術】
【０００２】
近年、家庭用給湯機の分野では高温給湯が可能で、機器効率の高いヒートポンプ式給湯機が普及してきた。さらに、業務用給湯市場にも給湯容量を拡大した製品が求められている。そのため、家庭用の熱源ユニットを組み合わせることで、中規模外食店等の給湯使用量に対応した製品とすることが可能である。なお、熱源ユニットとしては、圧縮機と、水熱交換器と、膨張弁と、蒸発器（空気熱交換器）等を順に接続して形成され、圧縮機等を室外機に収納される。
【０００３】
また、室外機は一般的には、室外機載置台に設置される。そして、室外機載置台としては空気調和機の室外機と同様であり、空気調和機の室外機用の室外機載置台として、２機の室外機が載置可能なものがある。（例えば、特許文献１参照）。この室外機載置台は、図１０に示すように、一対の上段横ステー８１、８２と、一対の下段横ステー８３、８４とを備える。そして、上段横ステー８１、８２の両端部と、下段横ステー８３、８４の両端部とを脚８５、８６、８７、８８を介して連結している。また、上段横ステー８１、８２には、上段横ステー８１、８２と略直交する方向に沿って配設される一対のベース部材９０、９１が付設され、下段横ステー８３、８４にも、下段横ステー８３、８４と略直交する方向に沿って配設される一対のベース部材９２、９３が付設される。さらに、各ベース部材９０、９１、９２、９３の上面にはゴムシート９５・・が取付けられている。
【０００４】
そして、この室外機載置台では、上段横ステー８１、８２のベース部材９０、９１のゴムシート９５上に室外機が載置され、下段横ステー８３、８４のベース部材９０、９１のゴムシート９５上に室外機が載置される。
【特許文献１】特開２０００−３９０９７号公報
【発明の開示】
【発明が解決しようとする課題】
【０００５】
この際、この室外機載置台は、その外形が１機の室外機の外形よりも大きく、そのため、設置スペースが大きくなり、小スペースとなるビル内の外食店舗等に対応して設置することができなかった。
【０００６】
この発明は、上記従来の欠点を解決するためになされたものであって、その目的は、簡略化及びコンパクト化を図ることができて、小スペースとなるビル内の外食店舗等に対応して２機の室外機を設置することができる室外機載置台を提供することにある。
【課題を解決するための手段】
【０００７】
そこで請求項１の室外機載置台は、壁面１５に固定される一対の縦方向ステー１６、１７を有する背面フレーム１８を、載置面１４に載置される下方の受けフレーム２０から立設すると共に、上記背面フレーム１８から上方の受けフレーム１９を水平状に突設し、上記各受けフレーム１９、２０にて室外機１、１を受けることを特徴としている。
【０００８】
上記請求項１の室外機載置台では、下方の受けフレーム２０が載置面１４に載置されると共に、この背面フレーム１８はその一対の縦方向ステー１６、１７が壁面１５に固定されるので、背面フレーム１８から水平状に突設される上下一対の受けフレーム１９、２０にそれぞれ室外機１を載置しても倒れることを防止できる。しかも、全体としての部品点数の簡略化及びコンパクト化を図ることができる。なお、上方の受けフレーム１９は、その下方に下方の受けフレーム２０にて受けられた室外機１が存在するので、いわゆる片持ち梁構造となる。しかしながら、この上方の受けフレーム１９を支持する背面フレーム１８が壁面１５に固定されているので、室外機１を受けることができる支持力を十分確保することができる。
【０００９】
請求項２の室外機載置台は、下方の受けフレーム２０に脚体３０を設けたことを特徴としている。
【００１０】
上記請求項２の室外機載置台では、下方の受けフレーム２０に脚体３０を設けたので、この下方の受けフレーム２０は脚体３０を介して載置面１４に載置されることになる。このため、下方の受けフレーム２０と載置面１４との間に隙間が形成されることになると共に、背面フレーム１８を壁面１５に固定する前におけるこの室外機載置台の移動（搬送）が容易となる。
【００１１】
請求項３の室外機載置台は、上下一対の受けフレーム１９、２０の外周側に化粧カバー４０、４１を配置したことを特徴としている。
【００１２】
上記請求項３の室外機載置台では、上下一対の受けフレーム１９、２０の外周側に化粧カバー４０、４１を配置したので、この化粧カバー４０、４１にて室外機載置台側への雪等の侵入を防止できる。
【発明の効果】
【００１３】
請求項１の室外機載置台によれば、背面フレームから水平状に突設される上下一対の受けフレームにそれぞれを載置しても倒れることを有効に防止でき、各室外機を安定して支持することができる。しかも、全体としての部品点数の簡略化及びコンパクト化を図ることができるので、室外機を設置する場所が小スペースとなるビル内の外食店舗等に対応することができる。また、２機の室外機を組み合わせることによって、パワフルな大型給湯機を構成することができる。なお、上方の受けフレームは、いわゆる片持ち梁構造となる。しかしながら、この上方の受けフレームを支持する背面フレームが壁面に固定されているので、室外機を受けることができる支持力を十分確保することができる。このため、上下の室外機を安定した状態で支持することができる。
【００１４】
請求項２の室外機載置台によれば、下方の受けフレームに脚体を設けたので、下方の受けフレームと載置面との間に隙間が形成されることになり、メンテナンス性の向上を図ることができる。しかも、背面フレーム１８を壁面１５に固定する前におけるこの室外機載置台の移動（搬送）が容易となので、設置作業の向上も図ることができる。
【００１５】
請求項３の室外機載置台によれば、室外機載置台側への雪等の侵入を防止できるので、室外機載置台の錆発生の防止の信頼性が向上できて、長期の安定した室外機の載置が一層可能となる。しかも、化粧カバーにて意匠的にも優れる利点がある。
【発明を実施するための最良の形態】
【００１６】
次に、この発明の室外機載置台の具体的な実施の形態について、図面を参照しつつ詳細に説明する。図１は室外機載置台の側面図であり、図２は室外機載置台の正面図であり、図３は室外機載置台の平面図である。この室外機１は、ヒートポンプ式給湯機の一部を構成するものである。ここで、ヒートポンプ式給湯機は、例えば、図８に示すように、貯湯タンク２を備え、この貯湯タンク２の湯を浴槽に供給（給湯）したり、台所やシャワーに供給（給湯）したりすることができる。この場合、冷凍サイクル３を有する熱源ユニット４を使用して、貯湯タンク２に湯を溜めるものである。そして、冷凍サイクル３は、圧縮機５と、水熱交換器６と、膨張弁７と、蒸発器（空気熱交換器）８等を順に接続して構成される。そして、貯湯タンク２に循環路９が連結され、この循環路９に水循環用ポンプ１０と熱交換路１１とが介設されている。この場合、熱交換路１１は水熱交換器６にて構成される。そして、上記室外機１としては、室外機ケーシング１２（図１〜図３参照）に、上記圧縮機５や膨張弁７等が収納されてなる。
【００１７】
この室外機載置台は２台の室外機１、１を載置することができ、図１〜図４及び図７に示すように、壁面１５に固定される一対の縦方向ステー１６、１７を有する背面フレーム１８と、この背面フレーム１８から水平状に突設されて室外機１、１を受ける上下一対の受けフレーム１９、２０とを備える。すなわち、図７に示すように、縦方向ステー１６、１７の上下方向略中間部を連結フレーム２２にて連結すると共に、この位置において、各縦方向ステー１６、１７から反壁面側へ横方向ステー２３、２４を水平方向に沿って突設し、さらに、この横方向ステー２３、２４の先端部を連結ステー２５にて連結して、上方の受けフレーム１９を構成する。なお、この実施の形態において、壁面１５側を後方側と呼び、これと反対側を前方と呼ぶ。
【００１８】
また、縦方向ステー１６、１７の下端側において連結フレーム２６にて連結すると共に、この位置において、各縦方向ステー１６、１７から反壁面側へ横方向ステー２７、２８を水平方向に沿って突設し、さらに、この横方向ステー２７、２８の先端部を連結ステー２９にて連結して、下方の受けフレーム２０を構成する。この受けフレーム２０には脚体３０・・が付設されている。このため、受けフレーム２０は脚体３０を介して載置面１４に載置されることになる。なお、上記背面縦方向ステー１６、１７、横方向ステー２３、２４、２７、２８、連結ステー２５、２９等は例えば角筒体にて構成され、これらの各部材の連結を溶接等の固着手段にて行っている。
【００１９】
図５においてはその図示を簡略化して概念的に記載しているが、実際には脚体３０は、図１〜図３に示すように、載置パット３２と、この載置パット３２に連結されるねじ軸３３とを有し、横方向ステー２７、２８の各先端部に設けられた軸部３１、３１に、ねじ軸３３が軸部３１に螺進退に螺合している。また、縦方向ステー１６、１７の下端に、上記脚体３０と同様、載置パット３５と、この載置パット３５に連結されるねじ軸３６とを有する脚体３７が付設されている。このため、各脚体３０、３０、３７、３７の載置パット３２、３５の高さ位置を調節することができ、これによって、この室外機載置台を安定してその設置面１４に載置することができる。
【００２０】
また、横方向ステー２３、２４、２７、２８には、図７に示すように、弾性部材からなる受パット３８・・がそれぞれ一対ずつ載置固定されている。そして、この受パット３８・・上に室外機１が載置される。なお、室外機１の室外機ケーシング１２の下面には脚部（図示省略）が設けられ、この脚部が各横方向ステー２３、２４、２７、２８の受パット３８・・上に載置される。
【００２１】
この際、受けフレーム１９、２０の幅寸法Ａ（図７参照）を、室外機１の幅寸法Ｂ（図２参照）と略同一に設定すると共に、受けフレーム１９、２０の突出寸法Ｃ（図７参照〕を、室外機１の厚さ寸法Ｄ（図１参照）よりも僅かに大きい程度とする。さらに、下方の受けフレーム２０から上方の受けフレーム１９までの間隔寸法Ｅ（図７参照）を、室外機１の高さ寸法Ｆ（図１参照）よりも僅かに大きい程度とすると共に、上方の受けフレーム１９から背面フレーム１８の上端までの寸法Ｇ（図７参照）を、室外機１の高さ寸法Ｆよりも僅かに大きい程度とする。これによって、２台の室外機１、１をコンパクトにこの室外機載置台に載置（収納）することができる。なお、室外機１、１を各受けフレーム１９、２０に載置した際には、単に載置するのみであっても、ボルト部材等の固定具を介して固定するようにしてもよい。
【００２２】
そして、上下一対の受けフレーム１９、２０の外周側に化粧カバー４０、４１が配置されている。上方の受けフレーム１９を包囲する化粧カバー４０は、図５に示すように、一方の横方向ステー２３を覆う横カバー４０ａと、他方の横方向ステー２４を覆う横カバー４０ｂと、連結ステー２５を覆う前カバー４０ｃとからなる。横カバー４０ａ、４０ｂは、本体部４２ａ、４２ｂと、上折曲部４３ａ、４３ｂと、下折曲部４４ａ、４４ｂとからなる断面コの字状体からなる。また、前カバー４０ｃも、本体部４５と上折曲部４６と下折曲部４７とからなる。この場合、本体部４５は、上下方向に延びる第１部４８と、この第１部４８の下端縁部から内方へ折れ曲る第２部４９とからなる。なお、この化粧カバー４０はボルト部材（図示省略）を介して受けフレーム１９に取付けられる。
【００２３】
また、下方の受けフレーム２０を包囲する化粧カバー４１も、図６に示すように、一方の横方向ステー２７を覆う横カバー５０ａと、他方の横方向ステー２８を覆う横カバー５０ｂと、連結ステー２９を覆う前カバー５０ｃとからなる。そして、各横カバー５０ａ、５０ｂ、及び前カバー５０ｃは、それぞれ、本体部５１ａ、５１ｂ、５１ｃと、上折曲部５２ａ、５２ｂ、５２ｃと、下折曲部５３ａ、５３ｂ、５３ｃとからなる。なお、この化粧カバー４１も図１と図２に示すように、ボルト部材５４・・を介して受けフレーム１９に取付けられる。
【００２４】
上記室外機載置台では、下方の受けフレーム２０が載置面１４に載置されると共に、背面フレーム１８はその一対の縦方向ステー１６、１７が壁面１５に固定されるので、背面フレーム１８から水平状に突設される上下一対の受けフレーム１９、２０にそれぞれ室外機１を載置しても倒れることを防止でき、各室外機１、１を安定して支持することができる。しかも、全体としての部品点数の簡略化及びコンパクト化を図ることができるので、室外機１、１を設置する場所が小スペースとなるビル内の外食店舗等に対応することができる。また、２機の室外機を組み合わせることによって、パワフルな大型給湯機を構成することができる。
【００２５】
下方の受けフレーム１９に脚体３０を設けたので、この下方の受けフレーム２０は脚体３０を介して載置面１４に載置されることになる。このため、下方の受けフレーム２０と載置面１４との間に隙間が形成されることになり、メンテナンス性の向上を図ることができる。しかも、背面フレーム１８を壁面１５に固定する前におけるこの室外機載置台の移動（搬送）が容易となるので、設置作業の向上も図ることができる。なお、上方の受けフレーム１９は、いわゆる片持ち梁構造となる。しかしながら、この上方の受けフレーム１９を支持する背面フレーム１８が壁面に固定されているので、室外機１を受けることができる支持力を十分確保することができる。
【００２６】
また、上下一対の受けフレーム１９、２０の外周側に化粧カバー４０、４１を配置したので、この化粧カバー４０、４１にて室外機載置台側への雪等の侵入を防止できるので、受けフレーム１９、２０の錆発生の防止の信頼性が向上できて、長期の安定した室外機１の載置が可能となる。しかも、化粧カバー４０、４１にて意匠的にも優れる利点がある。
【００２７】
次に、図９は他の実施の形態を示し、この場合、防雪屋根５５と、一対の防雪板５６、５７とを備える。防雪屋根５５は矩形平板体からなり、背面フレーム１８の上端面に設けられて、上方の室外機１の上面を覆うことになる。すなわち、背面フレーム１８の縦方向ステー１６、１７の上端縁から支持フレーム（図示省略）を突設して、この支持フレームにて防雪屋根５５を受ける。
【００２８】
また、防雪板５６、５７は背面フレーム１８の外側面、すなわち、縦方向ステー１６、１７の外側面に設けられるものであって、室外機１の側面を覆う矩形平板体からなる本体部６０、６１と、各本体部６０、６１の後端縁から連設される折曲片部６２、６３とからなる。この際、防雪板５６、５７にて背面フレーム１８の上部の後面及び外側面を包囲することになる。
【００２９】
なお、図９はその図示を簡略化しており、受けフレーム１９としては連結ステー２５を省略したものであるが、この場合であっても、連結ステー２５を設けてもよい。また、受けフレーム２０としては、設置面１４に設置される一対の脚フレーム６４、６４にて構成されるが、上記図１等のようなものであってもよい。
【００３０】
このように図９に示す室外機載置台では、上記背面フレーム１８の上端面に防雪屋根５５を設けると共に、背面フレーム１８の外側面に防雪板５６、５７を設けたので、室外機載置台側への雪の降込みを防止できる。このため、室外機載置台の錆等の発生を防止できて、強度低下を防止でき、長期の安定した室外機の載置が可能となる。
【００３１】
以上にこの発明の具体的な実施の形態について説明したが、この発明は上記形態に限定されるものではなく、この発明の範囲内で種々変更して実施することができる。例えば、上記実施の形態では、上下の室外機１、１の大きさを同一としたが、大きさが相違するものであってもよい。また、化粧カバー４０、４１としては、例えば、ステンレス、アルミ合金等にて構成することができる。さらに、除雪屋根５５と除雪板５６、５７とを設けた図９に示す実施の形態では、除雪板５６、５７が背面フレーム１８の下端まで対応していないが、除雪板５６、５７を背面フレーム１８の下端まで対応させたものであってもよい。
【図面の簡単な説明】
【００３２】
【図１】この発明の室外機載置台の実施形態を示し、室外機を収納した状態の側面図である。
【図２】室外機を収納した状態の上記室外機載置台の正面図である。
【図３】室外機を収納した状態の上記室外機載置台の平面図である。
【図４】室外機を収納した状態の上記室外機載置台の簡略斜視図である。
【図５】上方の受けフレームを覆う化粧カバーの簡略斜視図である。
【図６】下方の受けフレームを覆う化粧カバーの簡略斜視図である。
【図７】上記室外機載置台の簡略斜視図である。
【図８】ヒートポンプ式給湯機の簡略図である。
【図９】この発明の室外機載置台の他の実施形態の簡略斜視図である。
【図１０】従来の室外機載置台の斜視図である。
【符号の説明】
【００３３】
１・・室外機、１４・・載置面、１５・・壁面、１６、１７・・縦方向ステー、１８・・背面フレーム、１９、２０・・受けフレーム、３０・・脚体、４０、４１・・化粧カバー
【図１】
2006038428.tif 000003
【図２】
2006038428.tif 000004
【図３】
2006038428.tif 000005
【図４】
2006038428.tif 000006
【図５】
2006038428.tif 000007
【図６】
2006038428.tif 000008
【図７】
2006038428.tif 000009
【図８】
2006038428.tif 000010
【図９】
2006038428.tif 000011
【図１０】
2006038428.tif 000012